(57)【要約】  【課題】  銀行強盗等の逃走犯人等に着弾・付着させ、犯人追跡を容易にするためのペイントボールおよび犯人追跡装置を提供する。    【解決手段】  ＧＰＳ衛星１００の発信する信号を受信する受信部１１１、その信号から現在位置を演算するＣＰＵ、その現在位置の情報を基地局１３１とインターネット１３０を介して送信する送信部１１３および電源電池１１４を有する追跡モジュール１１０が防水フィルム１１８で密閉され、かつその追跡モジュール１１０が蛍光顔料と瞬間接着剤との混合液を吸蔵させたスポンジ体１２３の内部に収納され、そのスポンジ体１２３の外側が接着防止用皮膜１２２で被覆され、さらにその外側が易破裂性の皮膜１２１で被覆されたペイントボール１２０を発射用具１６０で逃走犯人等に着弾・付着させる。【選択図】  図１
2006011770.tif 000002
【特許請求の範囲】
【請求項１】
発射用具で着弾・付着させるペイントボールであって、
ＧＰＳ衛星の発信する信号を受信する受信部、該信号から現在位置を演算するＣＰＵ、該現在位置の情報を基地局とインターネットを介して送信する送信部および電源電池を有する追跡モジュールが防水フィルムで密閉され、かつ該追跡モジュールが塗料と瞬間接着剤との混合液を吸蔵したスポンジ体の内部に収納され、該スポンジ体の外側が接着防止用皮膜で被覆され、さらにその外側が易破裂性の皮膜で被覆されていることを特徴とするペイントボール。  
【請求項２】
前記スポンジ体が球状であり、前記ペイントボールの形状が球状であることを特徴とする請求項１に記載のペイントボール。
【請求項３】
前記ペイントボールが半球形状の先端部と円筒形状の本体部との接合体からなり、該先端部は塗料と瞬間接着剤との混合液を吸蔵したスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであることを特徴とする請求項１に記載のペイントボール。
【請求項４】
前記ペイントボールが半球形状の先端部と円筒形状の本体部と半球状の後端部からなる長円回転体形状の接合体からなり、該先端部は塗料と瞬間接着剤との混合液を吸蔵した半球状のスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであり、前記後端部は塗料と瞬間接着剤との混合液を吸蔵した半球状のスポンジ体の外側が接着防止用皮膜で被覆され、さらにその外側が易破裂性の皮膜で被覆されたものであることを特徴とする請求項１に記載のペイントボール。
【請求項５】
前記ペイントボールが加圧気体を発射エネルギー源とする発射用具で発射されるものであって、該ペイントボールを発射させるときに、前記電源電池のスイッチ部の接点がＯＮ作動することを特徴とする請求項１乃至４に記載のペイントボール。
【請求項６】
ＧＰＳ衛星の発信する信号を受信し、該信号から現在位置を演算し、該現在位置の情報を基地局とインターネットを介して送信する追跡モジュールと、
前記追跡モジュールが発信する現在位置の情報を前記基地局とインターネットを介して受信し、該追跡モジュールの現在位置を地図上に表示するとともに、その地図上に表示された追跡モジュールの現在位置の情報を、警察やクライアントのパソコン、携帯電話等に送信する位置情報センターとからなる追跡装置であって、
前記追跡モジュールが発射用具で発射され逃走する目的物に着弾・付着されるペイントボールの内部に収納されるものであることを特徴とする追跡装置。
【発明の詳細な説明】
【技術分野】
【０００１】
本発明は、銀行強盗等の逃走犯人等に着弾・付着させ、その追跡を容易にするための追跡モジュールを内蔵したペイントボールおよび該ペイントボールを使用した犯人追跡装置に関する。
【背景技術】
【０００２】
通常、銀行強盗などの犯人に対し、犯人に立ち向い格闘して取り押さえるのは危険が大きく、また防犯のために民間の警備会社に警備を委託することは費用が嵩むことから逃走犯人に対してペイントボールを投げ付けたり、発射用具を使用し発射して犯人の衣類や逃走車両に塗料を付着させ、犯人逮捕の手掛かりとしている。
【０００３】
下記特許文献１にはマーキングカプセル体並びにこれを用いた逃走者等検索確認システムであって、マーキング用カプセル体を逃走者等に命中させ、その衝撃で表皮体が破裂し付着したマーキング剤を目視で検知し、また匂い等のケミカルリアクションや、電磁的・光学的波動による波動リアクションによって逃走中の車両等を特定するものが示されている。
【０００４】
また、下記特許文献２には所定の領域に限って貸し出されるデジタルカメラなどの携帯物品の盗難を防止する盗難防止装置であって、ＧＰＳ電波を受信してカメラの測位を行うＧＰＳ受信装置とＧＰＳ受信装置から位置情報を受信してカメラが所定の領域の内外いずれに存在するかを判定する位置判定装置と、位置判定装置に含まれ、所定の領域の境界を表す領域データを記録する警報装置と、これらの装置を制御するＣＰＵと、これらの装置に給電する２次電池とを含むものが示されている。
【特許文献１】特開２００３−２１７０４３号公報
【特許文献２】特開２０００−１５５８７８号公報
【発明の開示】
【発明が解決しようとする課題】
【０００５】
銀行強盗などの犯人に対しては、過剰な威嚇行動は避け簡単なペイントボール等の手段で逃走する犯人をマーキングし、その後は警察・司法当局の捜査等に委ねるのが適当である。
【０００６】
しかしながら、上記特許文献１に示されているマーキング用カプセル体とそれを用いた検索確認システムは、マーキング剤を目視で検知し、また匂い等のケミカルリアクションや、電磁的・光学的波動による波動リアクションを用いたものであるから、犯行現場から犯人や車両が一定の距離逃走してしまうと追跡・逮捕が困難となる。
【０００７】
また、上記特許文献２に示されているものは、ＧＰＳをその携帯物品等に事前に取付けるものであるから、盗難時携帯物品の位置をＧＰＳの位置情報により把握し追跡することが可能であるが、銀行における現金強盗等の場合には、盗難物や犯人の車両に、事前にＧＰＳ装置を取付けておくことができないため犯人を十分には追跡できないという問題があった。
【０００８】
本発明は、上記問題点に鑑みてなされたものであり、ＧＰＳ受信機等を内蔵したペイントボールを発射用具を使用して、逃走犯人や車両に命中・付着させ塗料による目視情報とＧＰＳによる位置情報を活用して犯人を追跡するペイントボールおよびそのペイントボールを使用した追跡装置を提供することにある。
【課題を解決するための手段】
【０００９】
上記課題を達成するための第１の発明は、発射用具で着弾・付着させるペイントボールであって、ＧＰＳ衛星の発信する信号を受信する受信部、該信号から現在位置を演算するＣＰＵ、該現在位置の情報を基地局とインターネットを介して送信する送信部および電源電池を有する追跡モジュールが防水フィルムで密閉され、かつ該追跡モジュールが塗料と瞬間接着剤との混合液を吸蔵したスポンジ体の内部に収納され、該スポンジ体の外側が接着防止用皮膜で被覆され、さらにその外側が易破裂性の皮膜で被覆されていることを特徴とするペイントボールである。        
【００１０】
第２の発明は、第１の発明において、前記スポンジ体が球状であり、前記ペイントボールの形状が球状であることを特徴とするペイントボールである。          
【００１１】
第３の発明は、第１の発明において、前記ペイントボールが半球形状の先端部と円筒形状の本体部との接合体からなり、該先端部は塗料と瞬間接着剤との混合液を吸蔵したスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであることを特徴とするペイントボールである。
【００１２】
第４の発明は、第１の発明において、前記ペイントボールが半球形状の先端部と円筒形状の本体部と半球状の後端部からなる長円回転体形状の接合体からなり、該先端部は塗料と瞬間接着剤との混合液を吸蔵した半球状のスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであり、前記後端部は塗料と瞬間接着剤との混合液を吸蔵した半球状のスポンジ体の外側が接着防止用皮膜で被覆され、さらにその外側が易破裂性の皮膜で被覆されたものであることを特徴とするペイントボールである。      
【００１３】
第５の発明は、第１乃至第４の発明において、前記ペイントボールが加圧気体を発射エネルギー源とする発射用具で発射されるものであって、該ペイントボールを発射させるときに、前記電源電池のスイッチ部の接点がＯＮ作動することを特徴とするペイントボールである。
【００１４】
第６の発明は、ＧＰＳ衛星の発信する信号を受信し、該信号から現在位置を演算し、該現在位置の情報を基地局とインターネットを介して送信する追跡モジュールと、前記追跡モジュールが発信する現在位置の情報を前記基地局とインターネットを介して受信し、該追跡モジュールの現在位置を地図上に表示するとともに、その地図上に表示された追跡モジュールの現在位置の情報を、警察やクライアントのパソコン、携帯電話等に送信する位置情報センターとからなる追跡装置であって、前記追跡モジュールが発射用具で発射され逃走する目的物に着弾・付着されるペイントボールの内部に収納されるものであることを特徴とする追跡装置である。
【発明の効果】
【００１５】
第１の発明は、発射用具で着弾・付着させるペイントボールであって、ＧＰＳ衛星の発信する信号を受信する受信部、該信号から現在位置を演算するＣＰＵ、該現在位置の情報を基地局とインターネットを介して送信する送信部および電源電池を有する追跡モジュールが防水フィルムで密閉され、かつ該追跡モジュールが塗料と瞬間接着剤との混合液を吸蔵したスポンジ体の内部に収納され、該スポンジ体の外側が接着防止用皮膜で被覆され、さらにその外側が易破裂性の皮膜で被覆されていることを特徴とするペイントボールであるから、小型軽量にして、発射用具で簡易に発射させることができ、目的物に着弾・付着させて、塗料による目視情報とＧＰＳによる位置情報を活用して逃走する犯人、車両等の現在位置を知り、犯人を追跡・逮捕することが可能である。
【００１６】
第２の発明は、第１の発明において、前記スポンジ体が球状であり、前記ペイントボールの形状が球状であることを特徴とするペイントボールであり、第３の発明は、第１の発明において前記ペイントボールが半球形状の先端部と円筒形状の本体部との接合体からなり、該先端部は塗料と瞬間接着剤との混合液を吸蔵したスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであることを特徴とするペイントボールであり、また第４の発明は、第１の発明において、前記ペイントボールが半球形状の先端部と円筒形状の本体部と半球状の後端部からなる長円回転体形状の接合体からなり、該先端部は塗料と瞬間接着剤との混合液を吸蔵した半球状のスポンジ体の外側が接着防止用皮膜で被覆され、さらにその外側が易破裂性の皮膜で被覆されたものであり、前記本体部は前記防水フィルムで密閉された追跡モジュールが塗料と瞬間接着剤との混合液を吸蔵した円筒形状のスポンジ体の内部に収納され、該スポンジ体の外側が接着防止用皮膜で被覆され、さらにその外側が易破裂性の皮膜で被覆されたものであり、前記後端部は塗料と瞬間接着剤との混合液を吸蔵した半球状のスポンジ体の外側が接着防止用皮膜で被覆され、さらにその外側が易破裂性の皮膜で被覆されたものであることを特徴とするペイントボールであるから、第１の発明の効果に加えて、ペイントボールの形状が第２の発明の球状から第４の発明の長円回転体まで縦長にするに従って、直進性が向上し、また塗料と接着剤の量を増量できるので、目的物への付着性、塗料による視認性が向上する。なお、第２乃至第４の発明に係るペイントボールの直径を同一にしておけば同一の発射用具を使用できるという効果も得ることができる。
【００１７】
第５の発明は、第１乃至第４の発明において、前記ペイントボールが加圧気体を発射エネルギー源とする発射用具で発射されるものであって、該ペイントボールを発射させるときに、前記電源電池のスイッチ部の接点がＯＮ作動することを特徴とするペイントボールであるから、第１乃至第４の発明の効果に加えて、上記効果に加えて、追跡モジュールが発射用具から発射されて初めて電源電池のスイッチ部の接点がＯＮ作動するので、電源電池の待機電流が少なくなり電源電池の寿命が長くなるという効果がある
【００１８】
第６の発明は、ＧＰＳ衛星の発信する信号を受信し、該信号から現在位置を演算し、該現在位置の情報を基地局とインターネットを介して送信する追跡モジュールと、前記追跡モジュールが発信する現在位置の情報を前記基地局とインターネットを介して受信し、該追跡モジュールの現在位置を地図上に表示するとともに、その地図上に表示された追跡モジュールの現在位置の情報を、警察やクライアントのパソコン、携帯電話等に送信する位置情報センターとからなる追跡装置であって、前記追跡モジュールが発射用具で発射され逃走する目的物に着弾・付着されるペイントボールの内部に収納されるものであることを特徴とする追跡装置であるから、逃走する犯人または車両等の逃走時の現在位置を、付着した塗料による目視情報に加えて、ＧＰＳによる位置情報を位置情報センターが受信して、それを即座に警察、クライアントである銀行やコンビンエンスストア等のパソコンや携帯電話に送信されるので、犯人の追跡・逮捕が容易となる。
【発明を実施するための最良の形態】
【００１９】
図１は本発明の実施の形態に係る追跡装置の説明図である。図１において、１００はＧＰＳ衛星、１１０は追跡モジュールであり、ＧＰＳ衛星からの位置信号を受信する受信部とその信号をもとに現在位置を演算するＣＰＵと演算した位置情報を送信する送信部および送受信用アンテナを有している。１３０はインターネット、１３１は追跡モジュールから送信される電波を受信して、インターネット１３０に送信する最寄の基地局である。１４０は位置情報センターであり、追跡モジュールから送信されるその現在位置の情報を基地局とインターネットを介して受信し、その現在位置を地図上に表示し、それをインターネット１３０を介して警察１５３、クライアント１５０である銀行やコンビニエントストア等のパソコン１５１や携帯電話１５２等に送信する。警備会社や銀行の本店の警備室等が位置情報センター１４０として機能する。
【００２０】
１９０は逃走犯人または車両、１２０は犯人であることを目視で識別するための塗料と追跡モジュール１１０を内蔵したペイントボール、１６０はこのペイントボールを逃走犯人または車両をめがけて発射する発射用具、１２４はペイントボールの着弾痕跡を示している。銀行強盗等の犯人が逃走するときに、警備員等がペイントボール１２０を逃走犯人または車両に発射用具１６０よって発射・命中させると、ペイントボ−ル１２０が目的物に着弾・付着し、目的物に塗料が飛散・付着して犯人を識別できると共に、内部の追跡モジュールがＧＰＳ衛星の位置信号を受信・演算して、基地局とインターネットを介して追跡モジュールの現在位置、即ち逃走犯人または車両の現在位置を位置情報センター１４０に送信する。位置情報センター１４０は、受信した追跡モジュールの現在位置を、地図上に表示しその現在位置の情報を警察１５３、クライアント１５０である銀行やコンビニエントストアのパソコン１５１や携帯電話１５２等に送信する。これにより、目視情報による追跡が困難となった場合でも犯人の追跡・逮捕が容易となる。位置情報センター１４０から警察１５３、各種クライアント１５０への位置情報の送信は、警察１５３や各種クライアントの専用の受信機器に送信してもよいし、汎用の受信機器に送信してもよい。送信後に電話等の連絡により位置情報を送信したことを連絡して徹底を図ることが好ましいが、通常強盗等の事件の発生した現場のクライアントは、連絡を受けるまでもなく犯人の位置情報を自らインターネットを介して受信して警察に連絡することになる。また位置情報センター１４０から逃走犯人・車両の現在位置情報を受信した警察または事件の発生現場から連絡を受けた警察は所定のパトカーへその位置情報をもとに犯人逮捕の緊急指令を発することになる。
【００２１】
なお、犯人であることを目視で識別するための塗料は、所轄の警察毎にまたは都道府県毎に塗色を変えて識別機能を高めることもできる。
【００２２】
ペイントボールは逃走犯人または車両であることを識別するための塗料を内蔵し、また追跡モジュールを逃走犯人または車両に付着させるものであるから、着弾時に確実に破裂し、塗料が飛散し、追跡モジュールがその機能を損なうことなく目的物に確実に付着する必要がある。このため追跡モジュールの外側は防水フィルムで密閉し、防水フィルムで密閉された追跡モジュールが着色塗料と瞬間接着剤との混合液を吸蔵した球状のスポンジ体内部に収納され、またそのスポンジ体の外側を接着防止用のシリコン皮膜等で被覆し、さらにその外側を易破裂性の皮膜で被覆する必要がある。被覆はさらに多層にしてもよいし、単層にしてもよい。
【００２３】
ペイントボールの外形形状は、球状に限定されるものではなく、砲弾形状または長円回転体形状とし、発射時の直進性を高め、直径を所定値に収めながら塗料の量を増量し、着弾時の付着性および視認性を向上させることができる。
【００２４】
図２は図１の追跡モジュールのブロック図である。図２に基づき追跡モジュールについて、より詳細に説明する。追跡モジュール１１０は、受信用アンテナ１１５を有しＣＰＵを内蔵した受信部１１１と、送信用アンテナ１１６を有しメモリーを内蔵した送信部１１３と、受信部１１１と送信部１１３に給電する電源電池１１４とスイッチ部１１２から構成されている。ＧＰＳ衛星１００から送られてくる位置信号は受信部のアンテナ１１５により受信され、受信部１１５に内蔵されているＣＰＵによって演算され、追跡モジュール（即ち犯人・車両の）位置情報として、送信部１１３のメモリーに記録されている識別番号とともに送信用アンテナから基地局１３１に無線送信されインターネット１３０を介して、位置情報センター１４０に送信される。１１２はスイッチ部であり、ペイントボールを発射用具で発射するときにスイッチ部１１２の接点がＯＮ作動しＧＰＳ受信部および送信機に給電されるようになっているが、スイッチ部１１２はペイントボールの発射時の加速度を利用した加速度スイッチとしてもよいし、電源電池１１４は非接点式の充電器により待機時に充電するようにしてスイッチ部を省略してもよい。
【００２５】
図３は本発明の実施の形態に係る位置情報センターのブロック図である。図３に基づき位置情報センターについて、より詳細に説明する。位置情報センター１４０は受信部１４１で、追跡モジュール１１０の現在位置の情報を受信しＣＰＵ１４２によって、記憶部１４４に記憶されている地図情報を引き出し、追跡モジュール１１０の現在位置を地図上に合成し、それを表示部１４５に表示する。同時にこの地図情報と識別番号のデータを送信部１４６からインターネットを介して、識別番号に対応する警察１５３、各種クライアン１５０である銀行やコンビニエントストア等のパソコン１５１、携帯電話１５２等へ送信する。
【００２６】
１４３はパネル操作部であり、位置情報センター１４０は、盗難事件が発生したことの通報を受けた警察１５３や、盗難の被害者であるクライアント１５０から要求があったときにこのパネル操作部１４３のキーボードを操作して送信要求のあったパソコンや携帯電話等に送信すうようにしてもよい。
【実施例１】
【００２７】
図４は本発明の実施例１に係るペイントボールの説明図であり、（Ａ）は正面視断面図、（Ｂ）は平面視断面図、（Ｃ）は側面視断面図である。また図５は本発明の実施例１に係る追跡モジュールの実装の説明図であり、（Ａ）は展開図、（Ｂ）は図（Ａ）の右側面図、（Ｃ）は図（Ａ）の部分左側面図、（Ｄ）は追跡モジュールを防水フイルムに収納した状態を示している。図４、図５において、１１７は展開状態（図５（Ａ））のフレキシブルプリントサーキット（以下「ＦＰＣ」という。）であり、上面の中央部にＧＰＳチップ１１１、その上側に受信用のチップアンテナ１１５を、裏面の中央部にメモリーを内蔵した送信用チップ１１３、下側に発信用のチップアンテナ１１６が実装され、チップアンテナ１１５が実装された部分は上面が内側となるように丸め、チップアンテナ１１６が実装された部分は下面が内側となるように丸めその外側が防水フイルム１１８で被覆されている。
【００２８】
１１４は２個の電源電池であり、ＧＰＳチップ１１１が実装されたＦＰＣの横隣にスリットを設けて切起こし、そこに挿入され折曲げ片１１７１と半田付けにより接合されている。１１２１はスイッチ部１１２の接点であり、接点間にポリイミド製の帯状のフイルム１１２２が介挿され、このフイルムの他端はペイントボールの外部に引き出されている。接点１１２１は通常時は絶縁され電源が遮断されている。
【００２９】
防水フィルム１１８で密閉された追跡モジュール１１０は着色した蛍光顔料と瞬間接着剤との混合液を吸蔵した球状のスポンジ体１２３の内部に収納され、そのスポンジ体１２３の外側が接着防止用の厚さ０．０５〜０．１ｍｍのシリコン皮膜１２２で被覆され、さらにその外側が易破裂性の厚さ０．３〜０．５ｍｍのゼラチン皮膜１２１で被覆され、ペイントボールの球の外径は約２５ｍｍである。
【００３０】
図６は本発明の実施例１に係るペイントボールの発射用具の説明図であり、（Ａ）は側面図、（Ｂ）は断面図（図（Ａ）のＡ―Ａ断面図）である。
【００３１】
図６に基づいて、発射用具およびその発射操作について説明する。発射用具１６０は、上側にレーザポインター１７６の格納部が形成され、中央部に段付きの発射用シリンダー１７５を有する発射シリンダー部材１６１と、内部にピストン１６６が嵌挿され、上側にトリガー１６９を装着したピストン収納部材１６３と、その内部に加圧した炭酸ガスを封入したガスボンベ１６５を格納する円筒状のグリップ部材１６４と、発射シリンダー部材１６１とピストン収納部材１６３の中間に介挿される中間部材１６２を主要構成部品とし、発射用具１６０の発射用シリンダー１７５の小径部（中間部材側）にペイントボール１２０が装填されている。  
【００３２】
そして、発射用具１６０を両手で持ち、発射口１７４を犯人等の目的物に向け、一方の手指でレーザポインターのスイッチ１７２を押圧し、発射シリンダー部材の出射口１７７から出射される赤色のレザー光を目的物に照射して目的物に狙いを定めながら、他方の手指でトリガー１６９を押下げる。この操作により、トリガー１６９は軸１７１の回りに回動してロッキングピン１７０とピストンの溝１７８との係合が外れてスプリング１６８が伸張しピストンの突刃１６７がガスボンベ１６５の先端部に衝突し、ガスボンベ１６５の表面の一部が破断され高圧のガスが噴出し、その高圧ガスはシリンダー１７３、ピストン１６６および中間部材１６２を通過し発射用シリンダ１７５に達し、ペイントボール１２０の背面を加圧し、ペイントボールは発射口１７４から発射させる。    
【００３３】
ペイントボール１２０が高圧ガスで背面を加圧されて移動を開始するとき、追跡モジュール１１０のスイッチ部１１２の接点１１２１に介挿されているフイルム１１２２は端末が中間部材１６２のアンカー１７９に固定されているために、張力が働きフイルム１１２２が引き抜かれ追跡モジュールのスイッチ部１１２の接点１１２１がＯＮ作動する。本実施例１に係る発射用具はレーザポインターを装備しているので、ペイントボールの命中率が高い。
【００３４】
図７は本発明の実施例１に係るペイントボールが目的物に着弾した時の状態を示す説明図であり、（Ａ）はペイントボールの着弾位置の例示、（Ｂ）はペイントボールの外側の皮膜の破断時、（Ｃ）はペイントボールの付着開始時、（Ｄ）はペイントボールの付着終了時を示している。
【実施例２】
【００３５】
図８は本発明の実施例２に係るペイントボールの説明図であり、（Ａ）は正面視断面図、（Ｂ）は平面視断面図、（Ｃ）は側面視断面図である。
【００３６】
実施例２は実施例１に係るペイントボールの外形形状が球状であるのに対し、て、前側に位置する半球形状の先端部１２０ａと円筒状部の本体部１２０ｂに分割し、直径を約１７ｍｍとしたものである。先端部１２０ａは、着色した蛍光顔料と瞬間接着剤との混合液を吸蔵した半球形状のスポンジ体１２３２の外側が接着防止用の厚さ０．０５〜０．１ｍｍのシリコン皮膜１２２２で被覆され、さらにその外側が易破裂性の厚さ０．３〜０．５ｍｍのゼラチン皮膜１２１２で被覆されている。本体部１２０ｂは実施例１と同じ構成の防水フィルム１１８で密閉された追跡モジュール１１０が着色した蛍光顔料と瞬間接着剤との混合液を吸蔵した円筒状のスポンジ体１２３３の内部に収納され、そのスポンジ体１２３３の外側が接着防止用のシリコン皮膜１２２３で被覆され、さらにその外側が易破裂性の皮膜１２１３で被覆されている。そして先端部１２０ａと本体部１２０ｂとは接着剤で接合されている。１１２３はポリイミド製のフイルムであり、実施例１のフイルム１１２２とは長さ違いである。本実施例は、半球形状の先端部１２０ａと円筒形状の本体部で構成されているので、実施例１に比較して、直進性が優れる。また着色顔料と接着剤の量が増量され、目的物への付着性および目的物の視認性が向上する。先端部１２０ａと、本体部１２０ｂの接着剤の種類を変えることもできるし、先端部１２０ａ内のスポンジ体１２３２を削除して、蛍光顔料と瞬間接着剤との混合液のみとすることもできる。
【実施例３】
【００３７】
図９は本発明の実施例３に係るペイントボールの説明図であり、（Ａ）は正面視断面図、（Ｂ）は平面視断面図、（Ｃ）は側面視断面図である。本実施例３は上記実施例２の本体部１２０ｂの後側に半球形状の後端部１２０ｃを付加したものであり、本体部１２０ｂと後端部１２０ｃとは接着剤で接合されている。
【００３８】
１１２４はポリイミド製のフイルムであり、実施例１のフイルム１１２２とは長さ違いであり、後端部の中央部を貫通して後方に引き出されている。本実施例は、半球形状の先端部１２０ａと円筒形状の本体部に加えて半球形状の後端部で構成されているので、実施例２よりさらに、直進性が向上する。また着色顔料と接着剤の量が増量され、目的物への付着性および目的物の視認性が向上する。先端部１２０ａと後端部１２０ｃの接着剤は、実施例２と同様に本体部１２０ｂの接着剤の種類を変えることもできるし、先端部１２０ａと後端部１２０ｃの接着剤の組成を異なるものとすることもできる。また先端部１２０ａと後端部１２０ｃ内のスポンジ体１２３２、１２３４を削除して、蛍光顔料と瞬間接着剤との混合液のみとすることもできる。
【図面の簡単な説明】
【００３９】
【図１】本発明の実施の形態例に係る追跡装置の説明図である。
【図２】本発明の実施の形態に係る追跡モジュールのブロック図である。
【図３】本発明の実施の形態に係る位置情報センターのブロック図である。
【図４】本発明の実施例１に係るペイントボールの説明図であり、（Ａ）は正面視断面図、（Ｂ）は平面視断面図、（Ｃ）は側面視断面図である。
【図５】本発明の実施例１に係る追跡モジュールの実装の説明図であり、（Ａ）は展開図、（Ｂ）は図（Ａ）の右側面図、（Ｃ）は図（Ａ）の部分左側面図、（Ｄ）は防水フイルムに収納した状態を示している。
【図６】本発明の実施例１に係るペイントボールの発射用具の説明図であり、（Ａ）は側面図、（Ｂ）は断面図（図（Ａ）のＡ―Ａ断面図）である。
【図７】本発明の実施例１に係るペイントボールが目的物に着弾時の状態を示す説明図であり。（Ａ）はペイントボールの着弾位置の例示、（Ｂ）はペイントボールの外側の皮膜の破断時、（Ｃ）はペイントボールの付着開始時、（Ｄ）はペイントボールの付着終了時を示している。
【図８】本発明の実施例２に係るペイントボールの説明図であり、（Ａ）は正面視断面図、（Ｂ）は平面視断面図、（Ｃ）は側面視断面図である。
【図９】本発明の実施例２に係るペイントボールの説明図であり、（Ａ）は正面視断面図、（Ｂ）は平面視断面図、（Ｃ）は側面視断面図である。
【符号の説明】
【００４０】
１００・・・ＧＰＳ衛星
１１０・・・追跡モジュール
１１１・・・受信部（ＧＰＳチップ）
１１２・・・スイッチ部
１１２１・・・接点
１１２２・・・フイルム
１１３・・・送信部（送信用チップ）
１１４・・・電源電池
１１５・・・受信用アンテナ
１１６・・・送信用アンテナ
１１７・・・基板
１１７１・・・折曲げ片
１１８・・・防水フイルム
１２０・・・ペイントボール（ＧＰＳ受信機内蔵）
１２１・・・皮膜（外側）
１２２・・・皮膜（内側）
１２３・・・スポンジ体（接着剤と塗料の混合物吸蔵）
１２４・・・着弾痕跡
１３０・・・インターネット
１３１・・・基地局
１４０・・・位置情報センター
１４１・・・受信部
１４２・・・ＣＰＵ
１４３・・・パネル操作部
１４４・・・記憶部
１４５・・・表示部
１４６・・・送信部
１５０・・・クライアント
１６０・・・発射用具
【図１】
2006011770.tif 000003
【図２】
2006011770.tif 000004
【図３】
2006011770.tif 000005
【図４】
2006011770.tif 000006
【図５】
2006011770.tif 000007
【図６】
2006011770.tif 000008
【図７】
2006011770.tif 000009
【図８】
2006011770.tif 000010
【図９】
2006011770.tif 000011